(57)【要約】      （修正有）【課題】高画質なレンチキュラーを製作する。【解決手段】プリンターを用いてレンチキュラーを製作するためのシートセット１であって、レンチキュラーレンズ面１０ａを有し、前記レンチキュラーレンズ面の裏面に相当する第一嵌合面１０ｂには焦線に対して等高線が平行な起伏が形成されたレンズシート１０と、前記プリンターから供給される着色剤を受容する平坦な受容面を有する記録層１１１と、前記受容面の裏面に相当し前記第一嵌合面と嵌合する第二嵌合面１１ｂを形成している透明な嵌合層とが積層されている印刷シートと、を備えるレンチキュラーシートセット。【選択図】図１
2011191365.tif 000002
【特許請求の範囲】
【請求項１】
プリンターを用いてレンチキュラーを製作するためのシートセットであって、
レンチキュラーレンズ面を有し、前記レンチキュラーレンズ面の裏面に相当する第一嵌合面には焦線に対して等高線が平行な起伏が形成されたレンズシートと、
前記プリンターから供給される着色剤を受容する平坦な受容面を有する記録層と、前記受容面の裏面に相当し前記第一嵌合面と嵌合する第二嵌合面を形成している透明な嵌合層とが積層されている印刷シートと、
を備えるレンチキュラーシートセット。
【請求項２】
前記レンズシートに形成された前記起伏は単位起伏が複数連なった形態であって、前記焦線に対して垂直な方向における前記単位起伏の長さは前記焦線の配列間隔の整数倍である、
請求項１に記載のレンチキュラーシートセット。
【請求項３】
前記焦線は前記レンズシートの外側にあって前記第一嵌合面から離れている、
請求項１または２に記載のレンチキュラーシートセット。
【請求項４】
前記レンズシートには、前記レンチキュラーレンズ面を形成しているレンズ層と、前記起伏を形成し前記レンズ層とは屈折率が異なる透明層とが積層されている、
請求項１から３のいずれか一項に記載のレンチキュラーシートセット。
【請求項５】
請求項１に記載のレンチキュラーシートセットを用いてレンチキュラーを製作する方法であって、
シート搬送面に前記第二嵌合面を嵌合させた状態で前記第二嵌合面の等高線と平行な方向に前記印刷シートを搬送しながら前記印刷シートにレンチキュラー画像を印刷する工程と、
前記第一嵌合面と前記第二嵌合面とを嵌合させて前記レンチキュラー画像が印刷された前記印刷シートと前記レンズシートとを重ね合わせる工程と、
を含むレンチキュラー製作方法。
【発明の詳細な説明】
【技術分野】
【０００１】
本発明は、レンチキュラーの製作に関する。
【背景技術】
【０００２】
従来、観察する方向によって絵柄が変化したり、視差によって立体感が得られる印刷物であるレンチキュラーが知られている。レンチキュラーを製作するための印刷では、２つ以上の対象画像のそれぞれが細長い短冊領域に分割され、レンチキュラーレンズを構成する複数の凸レンズのそれぞれに各対象画像の短冊領域が１つずつ対応するように印刷用画像データが形成される。例えば視差によって立体感が得られるレンチキュラーでは、印刷用画像データに基づいて印刷が実行されることによって、右目用の対象画像の１つの短冊領域と左目用の対象画像の１つの短冊領域とが１つの凸レンズに対応するレンチキュラー画像が印刷媒体に形成される。以下、１つの凸レンズに対応する複数の対象画像の短冊領域の１束をストライプセットというものとする。
【０００３】
レンチキュラーを製作する方法として、レンチキュラーレンズ層と印刷媒体層とを積層した単体のシートにレンチキュラー画像を印刷する方法が知られている。レンチキュラーレンズ層と印刷媒体層とを積層した単体のシートにレンチキュラー画像を印刷する方法では、レンチキュラーレンズ層と印刷媒体層との合計厚さをプリンターで印刷可能な厚さの範囲に収める必要がある。しかし、レンチキュラーレンズ層を薄くするほど、絵柄が変化する効果や立体感を得にくいという問題がある。特許文献１には、プラテンと印刷ヘッドとの距離を調整できるインクジェットプリンターが記載されている。このようなインクジェットプリンターを使うことにより、厚いレンチキュラーレンズ層を備える単体のシートにレンチキュラー画像を印刷することが可能になる。
また、レンチキュラーレンズ層と印刷媒体層とを積層した単体のシートにレンチキュラー画像を印刷する工程では、搬送中にシートが回転したり斜行しないように正確な方向にシートを搬送する必要がある。特許文献２には、プリンターのシート搬送面にレンチキュラーレンズのピッチと同一ピッチで線条を形成し、この線条によってシートの搬送方向を案内する技術が開示されている。
【先行技術文献】
【特許文献】
【０００４】
【特許文献１】特開２００４−４２３４６号公報
【特許文献２】特開２００９−７３６５１号公報
【発明の概要】
【発明が解決しようとする課題】
【０００５】
しかし、特許文献１に記載されているようにシートの厚さを自動計測し、プラテンと印刷ヘッドとの距離を自動調整する構成をインクジェットプリンターに採用すると、プリンターの製造コストが増加するだけでなく、印刷開始直前に計測と調整のための時間が必要になるという問題がある。また、プラテンと印刷ヘッドとの距離を調整できる範囲にも自ずと限界があるため、レンチキュラーレンズ層を際限なく厚くして高画質化することはできない。
また、特許文献２に記載されているようにプリンターのシート搬送面に線条を形成するとしても、搬送方向を案内できるシートの種類が限定される。例えば、レンチキュラーレンズ面の曲率が大きくなると、レンチキュラーレンズ面の凹凸の高低差は小さくなる。レンチキュラーレンズ面の凹凸の高低差が小さくなると、シート搬送面に形成された線条とレンチキュラーレンズ面のかみ合いが弱くなるため、搬送中にシートが回転したり斜行する原因になる。搬送中にシートが回転したり斜行すると、ストライプセットの境界とレンチキュラーレンズ面の谷とがずれるため、レンチキュラーの画質が劣化する。
【０００６】
本発明はこのような問題を解決するために創作されたものであって、高画質なレンチキュラーを製作することを目的の１つとする。
【課題を解決するための手段】
【０００７】
（１）上記目的を達成するためのレンチキュラーシートセットは、プリンターを用いてレンチキュラーを製作するためのシートセットであって、レンチキュラーレンズ面を有し、前記レンチキュラーレンズ面の裏面に相当する第一嵌合面には焦線に対して等高線が平行な起伏が形成されたレンズシートと、前記プリンターから供給される着色剤を受容する平坦な受容面を有する記録層と、前記受容面の裏面に相当し前記第一嵌合面と嵌合する第二嵌合面を形成している透明な嵌合層とが積層されている印刷シートと、を備えるレンチキュラーシートセット。
【０００８】
レンズシートと印刷シートとを分離することにより、印刷媒体となる印刷シートの厚さを一定にすることができる。したがって高画質を実現する厚いレンズシートを用いることができる。レンチキュラー画像は印刷シートの透明な嵌合層とレンズシートとを通して観察される。レンズシートの第一嵌合面と嵌合する第二嵌合面を印刷シートに形成することにより、レンチキュラー画像が印刷されたレンズシートと印刷シートとを正確に整列させることができる。すなわち、レンチキュラー画像のストライプセットの境界とレンチキュラーレンズ面の谷とが正確に重なる（位相が揃う）ようにレンズシートと印刷シートとを整列させることができる。そして、このような第二嵌合面の裏面にあたる平坦面がプリンターからインクを受容するため、印刷ヘッドと印刷媒体との距離は一定である。さらに、第二嵌合面の等高線が伸びる方向に正確に印刷シートを搬送することが可能になるため、傾きや歪みがないレンチキュラー画像を印刷シートに正確に形成することができる。したがって、高画質なレンチキュラーを製作することができる。
【０００９】
（２）上記目的を達成するためのレンチキュラーシートセットにおいて、前記レンズシートに形成された前記起伏は単位起伏が複数連なった形態であって、前記焦線に対して垂直な方向における前記単位起伏の長さは前記焦線の配列間隔の整数倍であってもよい。
かかる構成によると、ストライプセットの境界とレンチキュラーレンズ面の谷とがずれた状態（位相がずれた状態）で印刷シートとレンズシートとが重ね合わせられることを防止できる。
【００１０】
（３）上記目的を達成するためのレンチキュラーシートセットにおいて、前記焦線は前記レンズシートの外側にあって前記第一嵌合面から離れていてもよい。
かかる構成によると、印刷シートに起伏を形成するための透明な嵌合層を設けることが可能になる。
（４）上記目的を達成するためのレンチキュラーシートセットにおいて、前記レンズシートには、前記レンチキュラーレンズ面を形成しているレンズ層と、前記起伏を形成し前記レンズ層とは屈折率が異なる透明層とが積層されていてもよい。
かかる構成によると、レンズ層と透明層との組み合わせによって焦点距離とレンズシートの厚さの組み合わせを多様化することができる。
（５）上記目的を達成するためのレンチキュラー製作方法は、シート搬送面に前記第二嵌合面を嵌合させた状態で前記第二嵌合面の等高線と平行な方向に前記印刷シートを搬送しながら前記印刷シートにレンチキュラー画像を印刷する工程と、前記第一嵌合面と前記第二嵌合面とを嵌合させて前記レンチキュラー画像が印刷された前記印刷シートと前記レンズシートとを重ね合わせる工程と、を含む。
本発明によると、高画質なレンチキュラーを製作することができる。
【図面の簡単な説明】
【００１１】
【図１】図１Ａは本発明の実施形態にかかる斜視図。図１Ｂおよび図１Ｃは本発明の実施形態にかかる拡大断面図。
【図２】図２Ａおよび図２Ｂは本発明の実施形態にかかる断面図。図２Ｃは本発明の実施形態にかかる拡大断面図。
【図３】本発明の実施形態にかかる断面図。
【図４】図４Ａは本発明の実施形態にかかる断面図。図４Ｂは本発明の実施形態にかかる拡大断面図。
【図５】本発明の実施形態にかかる平面図。
【図６】本発明の実施形態にかかる平面図。
【図７】本発明の実施形態にかかる断面図。
【図８】本発明の実施形態にかかる断面図。
【発明を実施するための形態】
【００１２】
以下、添付図面を参照しながら本発明の実施形態を説明する。各図において対応する構成要素には同一の符号が付され、重複する説明は省略される。
１．レンチキュラーシートセットの構成
図１Ａに示すように、シートセット１はレンズシート１０と印刷シート１１とからなる。レンズシート１０と印刷シート１１の平面寸法（長辺と短辺の長さ）は同一である。重ね合わせたときにレンズシート１０と印刷シート１１のいずれか一方が所定幅だけはみ出すようにいずれか一方の平面寸法を他方に対して大きくしても良い。
【００１３】
レンズシート１０は、レンチキュラーの表面（観察対象となる面）に対応するレンチキュラーレンズ面１０ａと、印刷シート１１に貼り付けられる第一嵌合面１０ｂとを有するレンチキュラーレンズを構成している。図１Ｂに示すようにレンズシート１０の焦線は、レンズシート１０の外側（破線の位置）にあり、第一嵌合面１０ｂから離れている。レンズシート１０は、十分な立体感が得られるように４００μｍ以上の厚さを有することが好ましい。レンズシート１０は、ＰＥＴ（Polyethylene Terephthalate）等の透明または半透明の樹脂材料からなる。レンチキュラーレンズ面１０ａは、一体的に連結された複数のシリンドリカルレンズによって構成され、凹部（谷）と凸部（山）とが交互に繰り返され等高線が焦線に対して平行な波面を形成している。第一嵌合面１０ｂの波面は１組の凹部と凸部からなる単位起伏が複数連なった形態である。図１Ｂに示す単位起伏の長さＰは、図１Ａに示す焦線の配列間隔Ｌの３倍である。以下、単位起伏の長さＰを嵌合面のピッチといい、焦線の配列間隔Ｌをレンチキュラーレンズ面１０ａのピッチという。レンズシート１０の第一嵌合面１０ｂには、図示しない粘着層が薄く形成されている。レンズシート１０は図示しない保護フィルムによってこの粘着層を覆った状態で提供される。
【００１４】
印刷シート１１は、図１Ｃに示すようにインク透過層１１１ａ、嵌合層１１２およびこれらの間に挟まれたインク吸収層１１１ｂの３層からなる。印刷シート１１の厚さは、一般的に普及しているインクジェットプリンターの写真用紙相当の３５０μｍ以下とし、例えば３００μｍとすることが好ましい。したがって、嵌合層１１２の厚さは、写真用紙のレジンコート層、ベースペーパー層等のインクを透過も吸収もしない層の厚さと同程度とし、例えば２００μｍとすることが好ましい。このように印刷シート１１の厚さを一般的に普及しているインクジェットプリンターの写真用紙と同程度に抑えることによって、印刷ヘッドとプラテンとの専用ギャップ調整機構をインクジェットプリンターに設ける必要が無くなる。嵌合層１１２は、透明または半透明の樹脂材料からなり、凹部（谷）と凸部（山）とが交互に繰り返され等高線が平行な波面からなる第二嵌合面１１ｂを形成している。第二嵌合面１１ｂは第一嵌合面１１ｂと嵌合するため、第一嵌合面１１ｂの起伏と第二嵌合面１１ｂの起伏とは対応している。印刷シート１１の嵌合面１１ｂは受容面１１ａの裏面であるため、嵌合面１１ｂを構成する波面の広さを印刷許容範囲とは無関係に設定することができる。嵌合面１１ｂの等高線は、レンズシート１０と印刷シート１１とを重ね合わせたときにレンチキュラーレンズ面１０ａの等高線と平行、すなわちレンズシート１０の焦線と平行になる方向に伸びている。インク透過層１１１ａおよびインク吸収層１１１ｂはレンチキュラー画像が形成される記録層１１１を構成している。インク透過層１１１の表面は平坦でインクジェットプリンターから着色剤として供給されるインクを受容する受容面１１ａを構成している。インク吸収層１１１ｂはインク透過層１１ａを透過したインクを吸収し、定着させる。
【００１５】
２．レンチキュラー製作方法
上述したレンチキュラーシートセット１を用いてレンチキュラーを製作する方法を図２に基づいて説明する。なお、図２Ａは図２Ｂに示す２Ａ−２Ａ線に対応する断面図である。
まず図２に示すように、レンチキュラー画像として、レンズシート１０を通した視差によって立体感を得られる画像を印刷用画像データに基づいてインクジェットプリンター３によって印刷シート１１に印刷する。完成状態ではレンズシート１０とともにレンチキュラーを構成する印刷シート１１の厚さは、レンチキュラーよりも薄く、レンズシート１０の厚さと無関係である。したがって、解像度を高めるためにレンズシート１０を十分厚くすることができる。
【００１６】
立体感を得られるレンチキュラー画像を形成するための印刷用画像データは、左目用の短冊画像データ群と右目用の短冊画像データ群とによって構成される。本実施形態では１つの画像データ群について１つのカメラで同一の対象物を撮影することによって左目用の短冊画像データ群と右目用の短冊画像データ群とが形成されるとする。すなわち本実施形態では、左目用の短冊画像データ群を構成する１つ１つの短冊画像データ（左目用短冊画像データ）は、１つの対象物を１つのカメラで撮影して得た画像データを細長く分割した画像データである。また右目用の短冊画像データ群を構成する１つ１つの短冊画像データ（右目用短冊画像データ）は、右目用の短冊画像データ群とは異なる方向から１つのカメラで同一の対象物を撮影して得た画像データを細長く分割した画像データである。レンチキュラー画像を印刷するための印刷用画像データは、このような左目用短冊画像データと右目用の短冊画像データとをそれらの短手方向に交互に配列した画像である。
【００１７】
このような印刷用画像データに基づいて印刷シート１１にレンチキュラー画像が印刷されると、図２Ｃに示すように左目用の短冊画像データ群に対応する左目用短冊領域１１２ｎａ（ｎ＝１，２・・・）と右目用短冊画像データ群に対応する右目用短冊領域１１２ｎｂ（ｎ＝１，２・・・）とがインク吸収層１１１ｂに形成される。本実施形態では、各１つの右目用短冊領域と左目用短冊領域とで１束のストライプセットが構成される。
【００１８】
インクジェットプリンターを用いてレンチキュラー画像を印刷シート１１に形成するとき、印刷シート１１の嵌合面１１ｂの等高線と正確に平行な方向に印刷シート１１を搬送しなければならない。すなわち印刷中は、印刷シート１１の嵌合面１１ｂの等高線と副走査方向（送紙方向）とは正確に平行でなければならず、また印刷シート１１が副走査方向以外の方向に並進することも許されない。印刷シート１１の嵌合面１１ｂの等高線と正確に平行な方向に印刷シート１１が搬送されていない状態で印刷が実行されると、レンチキュラー画像が印刷シート１１に対して傾いたり歪んだりするため、レンチキュラーの画質が大きく悪化する。
【００１９】
そこで本実施形態では、印刷シート１１の嵌合面１１ｂの等高線と正確に平行な方向に印刷シート１１を搬送するために、図２Ａおよび図２Ｂに示すようにトレイ３１にガイド３１１を備えたインクジェットプリンター３を用いる。ガイド３１１は、印刷シート１１の嵌合面１１ｂと嵌合することによって印刷シート１１の搬送方向を画定する凸部および凹部を表面に有する。本実施形態では、印刷シート１１の第二嵌合面１１ｂの起伏と完全に対応する起伏を表面に有するガイド３１１を用いる。すなわちガイド３１１は、印刷シート１１の第二嵌合面１１ｂの波面のピッチと同じピッチの波面を有する。そしてガイド３１１は、波面の等高線が副走査方向と平行になるようにトレイ３１に固定されている。
【００２０】
印刷シート１１は、嵌合面１１ｂがガイド３１１と嵌合するようにトレイ３１に載置された状態で、図示しないモーターによって駆動される送紙ローラー３６１、３６２、３６３によって間欠的に搬送される。ガイド３１１の山が印刷シート１１の第二嵌合面１１ｂの谷に嵌り、印刷シート１１の第二嵌合面１１ｂの山がガイド３１１の谷に嵌るため、印刷シート１１は副走査方向に正確に搬送される。このため、搬送中に印刷シート１１が受容面１１ａと垂直な軸周りに回転したり斜行することが防止される。
【００２１】
印刷シート１１が停止した状態では、インクタンク３４、３５から供給されるインクが主走査方向にガイド３２に沿って移動している印刷ヘッド３３から吐出される。主走査方向における印刷シート１１の位置は、ガイド３１１によって正確に画定されているため、印刷ヘッド３３から吐出されたインク滴は印刷シート１１の受容面１１ａの目標位置に正確に着弾し、インク透過層１１１ａを透過してインク吸収層１１１ｂに吸収される。その結果、正確なレンチキュラー画像が印刷シート１１の記録層１１に形成される。すなわち、図２Ｃに示すストライプセット１１２１、１１２２、１１２３の境界が印刷シート１１の嵌合面１１ｂの波面の山および谷に対して正確に位置決めされた状態でレンチキュラー画像が印刷シート１１に形成される。
【００２２】
また、印刷シート１１の受容面１１ａは全域が平坦であるため、印刷シート１１に高精細なレンチキュラー画像を形成することができるとともに、印刷シート１１に対する所謂縁なし印刷が可能である。すなわち、印刷シート１１の受容面１１ａの全域に対して高精細なレンチキュラー画像を形成することが可能である。
【００２３】
なお、ストライプセット１１２１、１１２２、１１２３の境界を印刷シート１１の嵌合面１１ｂの波面の山および谷に対して正確に位置決めするためには、主走査方向の印刷開始位置を印刷シート１１ではなくガイド３１１に対して設定することが望ましい。主走査方向の印刷開始位置をガイド３１１に対して設定すると、たとえ印刷シート１１の端辺と嵌合面１１ｂの波面の山および谷との位置関係がばらついていたとしても、ストライプセット１１２１、１１２２、１１２３の境界を印刷シート１１の嵌合面１１ｂの波面の山および谷に対して正確に位置決めすることができる。
【００２４】
次に、レンズシート１０の粘着層を覆う保護フィルムを剥離した後、図３に示すようにレンズシート１０と印刷シート１１とを重ね合わせる。このときレンズシート１０の第一嵌合面１０ｂと印刷シート１１の第二嵌合面１１ｂとが嵌合するため、レンチキュラーレンズ面１０ａの等高線および焦線と印刷シート１１の嵌合面１１ｂの等高線とが互いに平行に整列した状態を維持しながら、レンズシート１０と印刷シート１１が重なり合う。また、第一嵌合面１０ｂおよび第二嵌合面１１ｂのピッチがレンチキュラーレンズ面１０ａのピッチの整数倍であるため、レンチキュラーレンズ面１０ａの谷とレンチキュラー画像のストライプ境界が重なるようにレンズシート１０と印刷シート１１が重なり合う。
図４に示すようにレンズシート１０と印刷シート１１とが重ね合わされると、レンズシート１０の粘着層によってレンズシート１０と印刷シート１１とが結合し、レンチキュラー１ａが完成する。レンチキュラー画像をレンズシート１０および透明な嵌合層１１２を通じて観察することによって立体感のある画像が知覚される。印刷シート１１とレンズシート１０の端面が揃っていない場合には、両者を貼り合わせた後に周辺を裁断してもよい。レンズシート１０と印刷シート１１とが結合した状態では、レンズシート１０の外側にあった焦線が印刷シート１１の記録層１１１に位置する。
【００２５】
以上述べた方法によって製作されるレンチキュラー１ａは、印刷時に印刷シート１１が主走査方向に位置決めされた状態で副走査方向に正確に搬送され、印刷後に印刷シート１１とレンズシート１０とが正確に整列した状態で重ね合わされるため、図４Ｂに示すようにストライプセットの境界Ｂ（１１２１ｂと１１２２ａとの境界や１１２２ｂと１１２３ａとの境界）とレンチキュラーレンズ面１０ａの谷１０１ｂとが正確に重なる。すなわち、レンチキュラー画像の位相とレンチキュラーレンズの位相とが一致した、高い画質のレンチキュラー１ａを製作することができる。また、レンチキュラーレンズ面１０ａが印刷工程においてガイド３１と擦れて曇ることがない。
【００２６】
なお、印刷シート１１とレンズシート１０とを重ねたときに第二嵌合面１１ｂの等高線の方向がレンチキュラーレンズ面１０ａの焦線の方向と平行にならない場合には、トレイ３１に対してガイド３１１を回転させたりトレイ３１をフレームに対して回転させて補正してもよい。例えば、図５に示す回転補正のための検査画像５１をインクジェットプリンター３によって印刷シート１１に印刷する。この検査画像５１は副走査方向に対してなす角がわずかずつ異なり放射状に配列された複数の線分を含む。検査画像５１が印刷された印刷シート１１とレンズシート１０とを重ね合わせ、印刷された検査画像５１をレンズシート１０を通して観察すると、レンズシート１０の焦線に対して平行でない線分をモアレによって特定できる。レンズシート１０の焦線と平行になる線分を特定すると、ガイド３１１またはトレイ３１を回転させる角度を特定できる。なお、印刷シート１１に対してレンチキュラー画像が回転するように印刷用画像データを回転させることよって補正しても良い。
【００２７】
また、第二嵌合面１１ｂの起伏の位相がレンチキュラーレンズ面１０ａの起伏の位相と揃っていない場合には、位相のずれに応じて印刷シート１１に対してレンチキュラー画像が主走査方向に平行移動するように印刷用画像データを補正すればよい。例えば、図６に示す位相補正のための検査画像５２をインクジェットプリンター３によって印刷シート１１に印刷する。この検査画像５２は嵌合面１１ｂのピッチよりも狭いピッチで配列された複数の互いに異なる色の線分からなる線分群を複数含む。各線分群は、互いに異なる位相に対応するように配列されている。検査画像５２が印刷された印刷シート１１とレンズシート１０とを重ね合わせ、印刷された検査画像５２をレンズシート１０を通して正面から（受容面１１ａに対して垂直な方向から）観察すると、レンチキュラーレンズ面１０ａの起伏の位相に対応している線分群を特定できる。レンチキュラーレンズ面１０ａの起伏の位相に対応している線分群を特定すると、レンチキュラー画像を主走査方向に平行移動させる距離を特定できる。なお、検査画像５２の代わりに、互いに異なる位相に対応する複数のレンチキュラー画像を配列した画像群を検査画像として用いてもよい。また、印刷用画像データを補正する代わりに、トレイ３１に対してガイド３１１を平行移動させたりトレイ３１をフレームに対して平行移動させることによって補正してもよい。
【００２８】
３．他の実施形態
以上、本発明を実施形態を用いて具体的に説明したが、本発明の技術的範囲は特許請求の範囲によって画定され、上述した実施形態に限定されないことはいうまでもない。
例えば、第一嵌合面および第二嵌合面の波面のピッチＰはレンチキュラーレンズ面のピッチＬの１倍以上の整数倍であることが好ましいが、そうでなくともよい。第一嵌合面および第二嵌合面の波面のピッチＰがレンチキュラーレンズ面のピッチＬの１倍以上の整数倍で無い場合、レンズシート１０と印刷シート１１とを重ね合わせる度にレンチキュラーレンズ面の谷とレンチキュラー画像のストライプセットの境界とが重なるように位相合わせを実施する必要がある。また、第一嵌合面および第二嵌合面の波面のピッチＰがレンチキュラーレンズ面のピッチＬのｎ倍（ｎは２以上の整数）である場合、解像度が異なるｎ種類のレンズシートに対して１種類の印刷シートで対応できる。
【００２９】
また、第一嵌合面および第二嵌合面の起伏は、例えば屈曲部のないなだらかな起伏でも良いし、１つ以上の直線的な線条が形成された形態でも良いし、１つ以上の直線的な溝が形成された形態でも良いし、図７に示すようにレンチキュラーレンズ面に対応する形態でも良い。第一嵌合面１０ｂおよび第二嵌合面１１ｂの起伏をレンチキュラーレンズ面１０ａに対応させる場合、透明な嵌合層１１２はレンチキュラーレンズそのものになる。
【００３０】
また、図８に示すようにレンズシート１０を複層構造にしても良い。図８に示すレンズシート１０は、レンチキュラーレンズ面１０ａを有するレンズ層１０１と、第一嵌合面を形成している透明層１０２とが平坦な境界面で接して積層された構造を有する。透明層１０２は、レンズ層１０１と同一屈折率の同一材料で構成しても良いし、レンズ層１０１とは屈折率が異なる異種材料で構成しても良い。レンズ層１０１の屈折率をレンズ層１０１と異ならせることによって、レンズシート１０の厚さと焦線距離との組み合わせを多様化することができる。また、レンズ層１０１と透明層１０２とを積層してレンズシート１０を構成する場合、印刷シート１１の嵌合層１１２と同一素材から透明層１０２を構成することができる。具体的には、ロール成形によって第一嵌合面１０ｂと第二嵌合面１１ｂとに対応する起伏を有するロールシートを成形し、ロールシートから嵌合層１１２と透明層１０２とを切り分けることができる。
【００３１】
また、レンズシート１０を通した観察方向に応じて像が変化する所謂チェンジング画像のレンチキュラーの製作に本発明を適用しても良い。
【符号の説明】
【００３２】
１…レンチキュラーシートセット、１ａ…レンチキュラー、３…インクジェットプリンター、１０…レンズシート、１０ａ…レンチキュラーレンズ面、１０ｂ…平坦面、１１…印刷シート、１１ａ…受容面、１１ｂ…嵌合面、３１…トレイ、３３…印刷ヘッド、３４…インクタンク、５１…検査画像、５２…検査画像、１０１ｂ…谷、１１１…インク透過層、１１２…インク吸収層１１１ｂｎａ…左目用短冊領域、１１２ｎｂ…右目用短冊領域、１１３…バックライトフィルム層、１１３ａ…谷、１１３ｂ…山、２１１…バックライトフィルム、２２１…バックライトフィルム、２１１ａ…窓、２１１ｅ…傾斜凸部、２１２…ベースプレート、２１２ａ…傾斜凸部、２１３…粘着部、２１４…粘着部、２１４ａ…線条、２１４ｂ…線条、２１５ａ…ガイド孔、２２４ａ…線条、２２４ｂ…線条、２２５ａ…弾性体、２３１…溝、２３２…溝、２６１…ガイドロッド、３１１…ガイド、３６１…送紙ローラー、１１２１…ストライプセット
【図１】
2011191365.tif 000003
【図２】
2011191365.tif 000004
【図３】
2011191365.tif 000005
【図４】
2011191365.tif 000006
【図５】
2011191365.tif 000007
【図６】
2011191365.tif 000008
【図７】
2011191365.tif 000009
【図８】
2011191365.tif 000010